(57)【要約】      （修正有）【課題】一般の家庭でも楽に使用可能な浣腸治療装置を提供する。【解決手段】浣腸治療装置は、便器（１０）の一側に設けられる本体（２０）と、便座（１１）の後部に設けられる補強部材（３０）とを有し、該本体（２０）の内部に浄水装置（２１）、加熱装置（２２）、圧力制御ポンプ（２３）、水圧感知部材（２４）、水温感知部材（２５）、水圧表示メーター（２４１）及び水温表示メーター（２５１）を含み、該圧力制御ポンプ（２３）にモジュールスイッチ（２６）と断続モジュールスイッチ（２７）と連続モジュールスイッチ（２８）が設けられ、又、本体（２０）に該圧力制御ポンプ（２３）と接続する入水パイプ（２０１）と出水パイプ（符号なし）が設けられる。前記浄水装置（２１）と加熱装置（２２）は入水パイプ（２０１）と連接され、前記水圧感知部材（２４）と水温感知部材（２５）は出水パイプと連接される。【選択図】図１
0003117960.tif 000002
【実用新案登録請求の範囲】
【請求項１】
便器に設けられる本体と、便座の後側に設けられる補強部材とを有する浣腸治療装置であって、  
該補強部材に導水パイプが設けられ、  
該本体にスイッチ、入水パイプ、浄水装置、加熱装置、圧力制御ポンプ、出水パイプ及び浣腸パイプが設けられ、該入水パイプの一端が圧力制御ポンプと連接されると共に、他端が水道水の蛇口と連接され、該出水パイプの一端が圧力制御ポンプと連接されると共に、他端が導水パイプと連接されることを特徴とする浣腸治療装置。
【請求項２】
前記補強部材は、便座の後側に固定され、該補強部材は伸縮可能のように便座の後側に収容され、  
前記本体の内部に水圧感知部材、水温感知部材、水圧表示メーター及び水温表示メーターが設けられ、前記出水パイプに該水圧感知部材と水温感知部材が設けられ、  
前記導水パイプに延伸パイプが設けられ、該延伸パイプの一端に浣腸パイプが設けられ、該浣腸パイプの一端に複数の出水孔が形成されると共に、下端に緩衝効果を有するＵ形パイプが設けられることを特徴とする請求項１に記載の浣腸治療装置。
【請求項３】
便器に設けられる本体と、便座の後側に設けられる補強部材とを有する浣腸治療装置であって、  
該補強部材に導水パイプが設けられ、  
該本体にスイッチ、入水パイプ、浄水装置、加熱装置、圧力制御ポンプ、出水パイプ及び浣腸パイプが設けられ、該入水パイプの一端が圧力制御ポンプと連接されると共に、他端が水道水の蛇口と連接され、該出水パイプの一端が圧力制御ポンプと連接されると共に、他端が導水パイプと連接され、  
該便座の後側に、補強部材の下方における伸縮自在な第１出水パイプが設けられ、その一端に複数の出水孔が形成され、該第１出水パイプは他の第２出水パイプを介して圧力制御ポンプと連接されることを特徴とする浣腸治療装置。
【請求項４】
前記補強部材は、便座の後側に固定され、該補強部材は伸縮可能のように便座の後側に収容され、  
前記本体の内部に水圧感知部材、水温感知部材、水圧表示メーター及び水温表示メーターが設けられ、前記出水パイプと第２出水パイプに該水圧感知部材と水温感知部材が設けられ、  
前記導水パイプに延伸パイプが設けられ、該延伸パイプの一端に浣腸パイプが設けられ、該浣腸パイプの一端に複数の出水孔が形成されると共に、下端に緩衝効果を有するＵ形パイプが設けられることを特徴とする請求項３に記載の浣腸治療装置。
【考案の詳細な説明】
【技術分野】
【０００１】
本考案は、特に一般の家庭でも楽に使用可能な浣腸治療装置に関するものである。
【背景技術】
【０００２】
浣腸は、水を大腸の内部に注入することにより、便秘を改善する水療法である。浣腸治療装置によって、温かい水を大腸に注入すると共に、大腸の動くを促進することにより、大腸における便を楽に排出することができる。
【考案の開示】
【考案が解決しようとする課題】
【０００３】
しかしながら、一般の場合、浣腸をする際、必ず病院などの医療機関で行い、該浣腸治療装置の値段が高いし、体積が大きいし、構造が複雑であるため、一般の家庭で使用することができない。
【０００４】
そこで、案出されたのが本考案であって、一般の家庭でも楽に使用可能な浣腸治療装置を提供することを目的としている。
【課題を解決するための手段】
【０００５】
本願の請求項１の考案は、便器に設けられる本体と、便座の後側に設けられる補強部材とを有する浣腸治療装置であって、  
該補強部材に導水パイプが設けられ、  
該本体にスイッチ、入水パイプ、浄水装置、加熱装置、圧力制御ポンプ、出水パイプ及び浣腸パイプが設けられ、該入水パイプの一端が圧力制御ポンプと連接されると共に、他端が水道水の蛇口と連接され、該出水パイプの一端が圧力制御ポンプと連接されると共に、他端が導水パイプと連接されることを特徴とする浣腸治療装置、を提供する。
【０００６】
本願の請求項２の考案は、前記補強部材は、便座の後側に固定され、該補強部材は伸縮可能のように便座の後側に収容され、  
前記本体の内部に水圧感知部材、水温感知部材、水圧表示メーター及び水温表示メーターが設けられ、前記出水パイプに該水圧感知部材と水温感知部材が設けられ、  
前記導水パイプに延伸パイプが設けられ、該延伸パイプの一端に浣腸パイプが設けられ、該浣腸パイプの一端に複数の出水孔が形成されると共に、下端に緩衝効果を有するＵ形パイプが設けられることを特徴とする請求項１に記載の浣腸治療装置、を提供する。
【０００７】
本願の請求項３の考案は、便器に設けられる本体と、便座の後側に設けられる補強部材とを有する浣腸治療装置であって、  
該補強部材に導水パイプが設けられ、  
該本体にスイッチ、入水パイプ、浄水装置、加熱装置、圧力制御ポンプ、出水パイプ及び浣腸パイプが設けられ、該入水パイプの一端が圧力制御ポンプと連接されると共に、他端が水道水の蛇口と連接され、該出水パイプの一端が圧力制御ポンプと連接されると共に、他端が導水パイプと連接され、  
該便座の後側に、補強部材の下方における伸縮自在な第１出水パイプが設けられ、その一端に複数の出水孔が形成され、該第１出水パイプは他の第２出水パイプを介して圧力制御ポンプと連接されることを特徴とする浣腸治療装置、を提供する。
【０００８】
本願の請求項４の考案は、前記補強部材は、便座の後側に固定され、該補強部材は伸縮可能のように便座の後側に収容され、  
前記本体の内部に水圧感知部材、水温感知部材、水圧表示メーター及び水温表示メーターが設けられ、前記出水パイプと第２出水パイプに該水圧感知部材と水温感知部材が設けられ、  
前記導水パイプに延伸パイプが設けられ、該延伸パイプの一端に浣腸パイプが設けられ、該浣腸パイプの一端に複数の出水孔が形成されると共に、下端に緩衝効果を有するＵ形パイプが設けられることを特徴とする請求項３に記載の浣腸治療装置、を提供する。
【考案の効果】
【０００９】
本考案は上記の課題を解決するものであり、便器に本体が設けられ、便座に補強部材が設けられ、該補強部材に本体の接続する浣腸パイプが設けられることにより、一般の家庭でも楽に浣腸治療を行うことができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る浣腸治療装置の第１実施例を示す斜視図であり、図２は本考案に係る浣腸治療装置の内部構造を示すブロック図であり、図３は本考案に係る浣腸治療装置の第２実施例を示す斜視図であり、図４は本考案に係る浣腸治療装置の第３実施例を示す斜視図であり、図５は本考案に係る浣腸治療装置の第４実施例を示す斜視図であり、図６は本考案に係る浣腸治療装置の使用状態を示す斜視図である。
【００１２】
図１及び図２に示すように、本考案に係る浣腸治療装置は、便器（１０）の一側に設けられる本体（２０）と、便座（１１）の後部に設けられる補強部材（３０）とを有し、該本体（２０）の内部に浄水装置（２１）、加熱装置（２２）、圧力制御ポンプ（２３）、水圧感知部材（２４）、水温感知部材（２５）、水圧表示メーター（２４１）及び水温表示メーター（２５１）を含み、該圧力制御ポンプ（２３）にモジュールスイッチ（２６）と断続モジュールスイッチ（２７）と連続モジュールスイッチ（２８）が設けられ、又、本体（２０）に該圧力制御ポンプ（２３）と接続する入水パイプ（２０１）と出水パイプ（符号なし）が設けられる。前記浄水装置（２１）と加熱装置（２２）は入水パイプ（２０１）と連接され、前記水圧感知部材（２４）と水温感知部材（２５）は出水パイプと連接される。
【００１３】
前記補強部材（３０）に導水パイプ（３１）が設けられ、該導水パイプ（３１）の中央に延伸パイプ（３２）が設けられ、該延伸パイプ（３２）の一端に浣腸パイプ（４０）が設けられ、該浣腸パイプ（４０）は上端に複数の出水孔（４１）が形成されると共に、下端にＵ形パイプ（４２）が設けられる。
【００１４】
前記本体（２０）における入水パイプ（２０１）の一端が圧力制御ポンプ（２３）と連接されると共に、他端が水道水の蛇口（２０２）と連接され、又、前記出水パイプの一端が本体（２０）の圧力制御ポンプ（２３）と連接されると共に、他端が補強部材（３０）の導水パイプ（３１）と連接される。
【００１５】
本考案に係る浣腸治療装置の第１実施例を使用する場合、本体（２０）の圧力制御ポンプ（２３）によって水道水を蛇口（２０２）から入水パイプ（２０１）に進入し、浄水装置（２１）によって水道水を浄化すると共に、加熱装置（２２）によって水道水の水温を所定の温度に調整し、暖めた温水を出水パイプから補強部材（３０）の導水パイプ（３１）、延伸パイプ（３２）及び浣腸パイプ（４０）に流れ込んだ後、出水孔（４１）から噴出する。
【００１６】
図６に示すように、使用者は本考案に係る浣腸治療装置を使用する場合、便器（１０）の便座（１１）に坐って、浣腸パイプ（４０）を肛門に挿入させ、浣腸パイプ（４０）の下端に緩衝効果を有するＵ形パイプ（４２）が設けられるので、浣腸パイプ（４０）を肛門に挿入する際の不快感を緩むことができる。
【００１７】
又、本体（２０）にモジュールスイッチ（２６）、断続モジュールスイッチ（２７）及び連続モジュールスイッチ（２８）が設けられるので、断続に、連続に水を噴出することを制御できる。又、使用中、水圧表示メーター（２４１）や水温表示メーター（２５１）によって水圧と水温を監視することができる。又、前記浣腸パイプ（４０）は、一回使った後、取り外して新品を交換することができるので、非常に便利である。
【００１８】
前記実施例においては、補強部材（３０）は便座（１１）の後側に設けられるが、図３に示すように、本考案に係る浣腸治療装置の第２実施例の補強部材（３０）は、移動自在のように便座（１１）の後側に設けられ、該便座（１１）の後側に補強部材（３０）を収容可能な空間が形成されることにより、使用しない時、該補強部材（３０）を該収容空間に収容して、汚れを防止することができる。
【００１９】
又、図４に示すように、本考案に係る浣腸治療装置の第３実施例は、便座（１１）の後側に、補強部材（３０）の下方における伸縮自在の第１出水パイプ（５０）が設けられ、該第１出水パイプ（５０）は他の第２出水パイプ（２０３）によって本体（２０）と連接されると共に、その上に複数の出水孔（５１）が形成される。前記浣腸パイプ（４０）を取り外した後、この第１出水パイプ（５０）の出水孔（５１）から水を噴出することにより、肛門外部を清浄することができる。
【００２０】
図５に示すように、本考案に係る浣腸治療装置の第４実施例は、同時に浣腸と肛門洗浄効果を有する浣腸治療装置であり、該補強部材（３０）は伸縮可能のように便座（１１）の後側に設けられ、肛門洗浄をしようとする際、該浣腸パイプ（４０）を取り外すだけでよく、水を第１出水パイプ（５０）の出水孔（５１）から肛門に噴出することができる。
【００２１】
尚、前記実施例における本体（２０）は、便器（１０）の一側に設けられるだけではなく、便座（１０）の他の箇所に設けられでも良い。
【産業上の利用可能性】
【００２２】
本考案は上記の構成を有するので、便器に本体が設けられ、便座に補強部材が設けられ、該補強部材に本体の接続する浣腸パイプが設けられることにより、一般の家庭でも楽に浣腸治療を行うことができる。
【図面の簡単な説明】
【００２３】
【図１】本考案に係る浣腸治療装置の第１実施例を示す斜視図である。
【図２】本考案に係る浣腸治療装置の内部構造を示すブロック図である。
【図３】本考案に係る浣腸治療装置の第２実施例を示す斜視図である。
【図４】本考案に係る浣腸治療装置の第３実施例を示す斜視図である。
【図５】本考案に係る浣腸治療装置の第４実施例を示す斜視図である。
【図６】本考案に係る浣腸治療装置の使用状態を示す斜視図である。
【符号の説明】
【００２４】
１０        便器
１１        便座
２０        本体
２０１      入水パイプ
２０２      蛇口
２０３      第２出水パイプ
２１        浄水装置
２２        加熱装置
２３        圧力制御ポンプ
２４        水圧感知部材
２４１      水圧表示メーター
２５        水温感知部材
２５１      水温表示メーター
２６        モジュールスイッチ
２７        断続モジュールスイッチ
２８        連続モジュールスイッチ
３０        補強部材
３１        導水パイプ
３２        延伸パイプ
４０        浣腸パイプ
４１        出水パイプ
４２        Ｕ形パイプ
５０        第１出水パイプ
５１        出水孔
【図１】
0003117960.tif 000003
【図２】
0003117960.tif 000004
【図３】
0003117960.tif 000005
【図４】
0003117960.tif 000006
【図５】
0003117960.tif 000007
【図６】
0003117960.tif 000008